(57)【要約】  通信端末装置は、タッチパネルと、タッチパネルに情報を表示させる表示処理部と、タッチパネルにおいてユーザがタッチパネルを操作して指定したユーザの指定範囲内に表示されている情報に基づいてファイルを特定するファイル特定部と、ファイル特定部が特定したファイルを外部へ送信するファイル送信部とを備える。
2010113457.tif 000002
【特許請求の範囲】
【請求項１】
タッチパネルと、
前記タッチパネルに情報を表示させる表示処理部と、
前記タッチパネルにおいてユーザが前記タッチパネルを操作して指定したユーザの指定範囲内に表示されている情報に基づいてファイルを特定するファイル特定部と、
前記ファイル特定部が特定した前記ファイルを外部へ送信するファイル送信部とを備えることを特徴とする通信端末装置。
【請求項２】
前記タッチパネルは、第１のタッチパネルと第２のタッチパネルとから構成され、
前記表示処理部は、第１のタッチパネルに前記情報を表示させ、前記ファイル特定部が前記ファイルを特定した後、第２のタッチパネルに前記ファイルの内容を表示させることを特徴とする請求項１記載の通信端末装置。
【請求項３】
前記ファイル特定部は、ユーザが操作部材を前記タッチパネル内における前記ユーザが指定しようとする範囲の周囲に位置する第１の点に接触させ、当該操作部材を前記タッチパネルに接触させた状態を維持しつつ前記タッチパネル内における第２の点までスライドさせ、前記操作部材を前記タッチパネルから離脱させると、前記タッチパネル内における第１の点および第２の点を結ぶ線を含む範囲を前記ユーザの指定範囲とすることを特徴とする請求項２記載の通信端末装置。
【請求項４】
前記タッチパネルにおける前記ユーザの指定範囲内に表示されている情報は、文字列を含み、
前記ファイル特定部は、固有のファイル名が付与された複数のファイルの中から、前記タッチパネルにおける前記ユーザの指定範囲内に表示されている情報に含まれる文字列と一致するファイル名が付与された前記ファイルを特定することを特徴とする請求項３記載の通信端末装置。
【請求項５】
前記タッチパネルにおける前記ユーザの指定範囲内に表示されている情報は、少なくともファイルに対応づけられたアイコンを含み、
前記ファイル特定部は、複数のファイルの中から、前記ユーザの指定範囲内に表示されている情報に含まれるアイコンに対応づけられた前記ファイルを特定することを特徴とする請求項３記載の通信端末装置。
【請求項６】
前記ファイル送信部が、前記ファイルが添付された電子メールを外部に送信することにより前記ファイルを外部に送信するものであって、
電子メールに前記ファイルを添付するファイル添付処理を行う添付処理部を備えることを特徴とする請求項４記載の通信端末装置。
【請求項７】
前記添付処理部は、前記ファイル特定部が、前記ファイルを特定した後、前記操作部材を前記タッチパネルに接触させると、前記ファイル添付処理を行うことを特徴とする請求項６記載の通信端末装置。
【請求項８】
ユーザが前記タッチパネルから入力したデータと、前記ファイル特定部が特定した前記ファイルを構成するデータとに基づいて新たなファイルを生成するファイル作成部を備えることを特徴とする請求項６記載の通信端末装置。
【請求項９】
電子メール送受信機能を有し携帯型であることを特徴とする請求項１記載の通信端末装置。
【請求項１０】
前記ファイル送信部が、前記ファイルが添付された電子メールを外部に送信することにより前記ファイルを外部に送信するものであって、
電子メールに前記ファイルを添付するファイル添付処理を行う添付処理部と、
ユーザが前記第２のタッチパネルから入力したデータと、前記ファイル特定部が特定した前記ファイルを構成するデータとに基づいて新たなファイルを生成するファイル作成部とを有する
請求項３に記載の通信端末装置。
【請求項１１】
請求項１に記載の通信端末装置と、当該通信端末装置にネットワークを介して接続されたサーバ装置とを備え、
前記通信端末装置は、前記ユーザの指定範囲内に表示されている情報を前記サーバ装置に送信する情報送信部を有し、
前記サーバ装置は、複数のファイルが格納されるサーバ内蔵記憶部と、前記サーバ内蔵記憶部に格納されている複数のファイルを検索するサーバ内蔵検索部とを有することを特徴とする通信システム。
【発明の詳細な説明】
【技術分野】
【０００１】
本発明は、タッチパネルを有する通信端末装置に関する。
【背景技術】
【０００２】
従来から、電子メール送受信機能を有し、電子メールに画像ファイル等のファイルを添付することができる通信端末装置が提供されている。【０００３】
携帯電話機において電子メールにファイルを添付したい場合には、通常以下の手順を踏むことが多い。例えば、メニューを開いて「ファイル添付」を選択する操作（ファイル添付実行のアイコンの選択でも可）を行い、ファイルを選択するといった手順がある。ところが、添付したいファイルがファイル構造の深い位置にある場合等は、実際にファイルを選択するまでの操作が煩雑になる。
これに対して、当該煩雑さを解消する一手法として、画像や音楽等のファイル毎に短縮番号を対応づけて、短縮番号を入力すると、入力した短縮番号に対応するファイルが電子メールに添付される技術を適用した電子メール作成機能付端末がある（特許文献１参照）。
当該電子メール作成機能付端末は、ユーザが操作する操作手段（例えば、テンキー等）と、ユーザによる操作の待受状態にあることを示す待受画面を表示する表示手段（例えば、液晶パネル等）と、当該表示手段を制御する制御手段と、画像ファイルや楽曲ファイルなどの各種のデータが記憶されているファイル記憶手段とを備える。
そして、前記ファイル記憶手段に記憶される各ファイルそれぞれに互いに異なる短縮番号が付与されてなり、ユーザが前記表示手段に前記待受画面が表示されている状態で、前記操作手段から短縮番号を入力すると、前記ファイル記憶手段に記憶されている複数のデータの中から前記短縮番号が付与されたファイルを電子メールに添付することができる。
つまり、ユーザは、短縮番号をキー入力によりファイルを特定して、電子メールに添付することができる。
【先行技術文献】
【特許文献】
【０００４】
【特許文献１】特開２００２−３７３１３７号公報
【発明の概要】
【発明が解決しようとする課題】
【０００５】
ところで、特許文献１に記載の電子メール作成機能付端末では、前記ファイル記憶手段に記憶されるファイル数が増加すると、短縮番号の桁数が増加して、ユーザにとって短縮番号のキー入力操作が煩雑になり、操作性が低下してしまうおそれがあった。【０００６】
本発明の目的は、ファイルを特定し当該ファイルを送信するまでの操作性を向上させることにある。
【課題を解決するための手段】
【０００７】
上記課題を解決するために、本発明に係る通信端末装置は、タッチパネルと、前記タッチパネルに情報を表示させる表示処理部と、前記タッチパネルにおいてユーザが前記タッチパネルを操作して指定したユーザの指定範囲内に表示されている情報に基づいてファイルを特定するファイル特定部と、ファイル特定部が特定した前記ファイルを外部へ送信するファイル送信部とを備える。  
【発明の効果】
【０００８】
上記構成により、ファイルを特定し当該ファイルを送信するまでの操作性を向上させることができる。
【図面の簡単な説明】
【０００９】
【図１】実施の形態１の携帯電話機の全体斜視図である。
【図２】実施の形態１の携帯電話機のブロック図である。
【図３】実施の形態１の携帯電話機において、第１のタッチパネル上で範囲を指定する際に行う操作の説明図である。
【図４】実施の形態１の携帯電話機の論理座標系についての説明図である。
【図５】実施の形態１の携帯電話機の動作を説明するフローチャートである。
【図６】実施の形態１の携帯電話機の概略正面図である。
【図７】実施の形態１の携帯電話機において、ユーザが範囲を指定した後の状態を示す図である。
【図８】実施の形態１の携帯電話機において、当該携帯電話機の記憶部に格納されているファイルの概念を示す図である。
【図９】実施の形態１の携帯電話機において、第２のタッチパネルにファイルの内容が表示されている状態を示す図である。
【図１０】実施の形態１の携帯電話機において、第２のタッチパネルに内容が表示されたファイルを添付する際の操作を説明する図である。
【図１１】実施の形態１の携帯電話機において、ユーザが第２のタッチパネルからデータを入力した後の状態を示す図である。
【図１２】実施の形態１の携帯電話機において、電子メールにファイルが添付された後の状態を示す図である。
【図１３】実施の形態１の携帯電話機で用いられるファイル管理情報の概略を示す図である。
【図１４】実施の形態１の携帯電話機において、ファイルを検索する処理で行う動作を説明するフローチャートである。
【図１５】実施の形態１の携帯電話機のファイルを検索する処理で行う動作の概念を説明する図である。
【図１６】実施の形態２の通信システムの構成図である。
【図１７】実施の形態２の通信システムで用いられるファイル管理情報の概略を示す図である。
【図１８】実施の形態２の通信システムの動作を説明するフローチャートである。
【図１９】実施の形態２の通信システムにおいて、ファイルを検索する処理で行う動作の概念を説明する図である。
【図２０】実施の形態１の変形例の携帯電話機において、第１のタッチパネル上で範囲を指定する際に行う操作の説明図である。
【図２１】実施の形態１の変形例の携帯電話機において、第１のタッチパネル上で範囲を指定する際に行う操作の説明図である。
【図２２】実施の形態１の変形例の携帯電話機の動作を説明するフローチャートである。
【図２３】実施の形態１の変形例の携帯電話機において、ユーザが範囲を指定した後の状態を示す図である。
【図２４】実施の形態１の変形例の携帯電話機において、検索部にファイルを検索する処理を開始させる際に行う操作の説明図である。
【図２５】実施の形態１の変形例の携帯電話機において、検索部にファイルを検索する処理を開始させる際に行う操作の説明図である。
【図２６】実施の形態１の変形例の携帯電話機において、電子メールにファイルを添付する際に行う操作の説明図である。
【発明を実施するための形態】
【００１０】
＜実施の形態１＞
以下、本発明に係る通信端末装置である携帯電話機１００の一実施形態について説明する。
＜１＞概要
本実施の形態の携帯電話機１００は、タッチパネルを備え、ユーザがタッチパネルを操作して指定した範囲（以下、「ユーザの指定範囲」と称す。）内に含まれる情報（以下、「ユーザ指定範囲内情報」と称す。）に基づいて固有のファイル名が付与された複数のファイルの中からファイルを特定し、当該ファイルを電子メールに添付して送信する。
＜２＞構成
本実施の形態に係る通信端末装置である携帯電話機１００を図１に示し、ブロック図を図２に示す。
本実施の形態の携帯電話機１００は、第１のタッチパネル１１０と、第２のタッチパネル１２０と、プロセッサ１７０と、記憶部１６０と、ファイルが添付された電子メールを外部に送信することによりファイルを外部に送信するファイル送信部１８０とを備える。        
【００１１】
記憶部１６０の一部の領域から座標記憶部１３０が構成されている。
ここで、プロセッサ１７０は、第１のタッチパネル１１０および第２のタッチパネル１２０に情報を表示させる表示処理部１５３、およびユーザ指定範囲内情報に基づいて予め記憶部１６０に格納されている複数のファイルの中からファイルを特定するファイル特定部１５７の各機能を実現している。なお、本実施の形態では、ファイルは、地図のビットマップイメージを構成する地図画像データ、もしくは写真のビットマップイメージを構成する写真画像データからなるとして説明する。
【００１２】
また、プロセッサ１７０は、第１のタッチパネル１１０および第２のタッチパネル１２０からユーザが指を接触させている位置の座標値（以下、「物理座標値」と称す。）を示すデータ（以下、「接触位置データ」と称す。）が入力されると、当該接触位置データに基づいて、表示処理部１５３およびファイル特定部１５７に後述のメッセージを発行する機能を有する制御部１４０、ファイル送信部１８０が外部に送信するファイルを電子メールに添付する添付処理部１５２、ユーザが第２のタッチパネル１２０から入力したデータとファイル特定部１５７により特定されたファイルを構成するデータとに基づいて新たなファイルを生成する機能を有するファイル作成部である画像作成部１５４、および第２のタッチパネル１２０に前記ファイルの内容が表示されてから所定の時間が経過したか否かを判断し所定の時間が経過した場合に所定の時間が経過したことを画像作成部１５４に通知する機能を有する判断部１５５の各機能を実現している。
なお、記憶部１６０に記憶されている制御用アプリケーション１５０をプロセッサ１７０が実行することにより表示処理部１５３、ユーザ指定範囲内情報抽出部１５６、検索部１５１、添付処理部１５２、画像作成部１５４および判断部１５５が実現されている。
第１のタッチパネル１１０は、第１の表示部１１１と第１の入力部１１２とを備え、第２のタッチパネル１２０は、第２の表示部１２１と第２の入力部１２２とを備える。
第１の表示部１１１は、第１のＬＣＤ（Ｌｉｑｕｉｄ  Ｃｒｙｓｔａｌ  Ｄｉｓｐｌａｙ）１１０ａと、第１のＬＣＤ１１０ａに文字を表示させたりアイコン等の画像を表示させたりする第１の表示制御回路（図示せず）とからなる。また、第２の表示部１２１は、第２のＬＣＤ１２０ａと、第２のＬＣＤ１２０ａに文字を表示させたりアイコン等の画像を表示させたりする第２の表示制御回路（図示せず）とからなる。ここにおいて、前記第１の表示制御回路と前記第２の表示制御回路とは、プロセッサ１７０から入力される制御信号に基づいて動作する。
第１の入力部１１２および第２の入力部１２２は、ユーザが第１のタッチパネル１１０または第２のタッチパネル１２０に指を接触させている間、単位時間毎（例えば、１／６０秒毎）に、接触位置データをプロセッサ１７０に対して出力する機能を有する。なお、第１のタッチパネル１１０および第２のタッチパネル１２０としては、一般的な抵抗膜方式タッチパネル、光学式タッチパネルまたは静電容量結合式タッチパネルのいずれを用いてもよく、第１の入力部１１２および第２の入力部１２２は、これらに用いられるユーザインターフェースを適宜用いることができる。本実施形態では、静電容量式タッチパネルを用いるものとする。
【００１３】
ここで、第１の入力部１１２および第２の入力部１２２の動作について簡単に説明する。
本実施の形態の携帯電話機１００では、例えば、第１のＬＣＤ１１０ａの画素数は、縦１５１画素×横３０１画素、第２のＬＣＤ１２０ａの画素数が、縦１５１画素×横２０１画素であるとする。
第１の入力部１１２は、ユーザが図１に示すところの第１のタッチパネル１１０のａ点（第１のタッチパネルの第１のＬＣＤの左上端）に指を接触させると、物理座標値（０，０）の前記接触位置データを出力し、ユーザが図１に示すところの第１のタッチパネル１１０のｂ点（第１のタッチパネルの第１のＬＣＤの右下端）に指を接触させると、物理座標値（１５０，３００）の前記接触位置データを出力する。また、第２の入力部１２２は、ユーザが図１に示すところの第２のタッチパネル１２０のｃ点（第２のタッチパネル１２０の第２のＬＣＤ１２０ａの左上端）に指を接触させると、物理座標値（０，０）の接触位置データを出力し、ユーザが図１に示すところの第２のタッチパネル１２０のｄ点（第２のタッチパネル１２０の第２のＬＣＤ１２０ａの右下端）に指を接触させると、物理座標値（１５０，２００）の接触位置データを出力する。
表示処理部１５３は、第１のタッチパネル１１０に情報を表示させるとともに、第２のタッチパネル１２０にファイル特定部１５７が特定したファイルの内容を表示する機能を有する。ここで、表示処理部１５３は、ファイルが地図画像データで構成されている場合には、第２のタッチパネル１２０に地図のビットマップ画像を表示させる。
ファイル特定部１５７は、第１のタッチパネル１１０に表示されている情報の中から前記ユーザ指定範囲内情報を抽出するユーザ指定範囲内情報抽出部１５６と、ユーザ指定範囲内情報の中の文字列と一致するファイル名が付与されたファイルを、記憶部１６０に格納されている複数のファイルの中で検索する検索部１５１とから構成される。
ここで、ユーザは、図３に示すように、指やタッチペン等（操作部材）を、第１のタッチパネル１１０に接触させてから、指を第１のタッチパネル１１０に接触させた状態で第１のタッチパネル１１０上をスライドさせ、その後、指を第１のタッチパネル１１０から離脱させることにより、範囲を指定することができる。つまり、図３に示すように、まず、第１のタッチパネル１１０内において、ユーザが指定しようとしている文字列の全てを囲むような矩形状の範囲における一方の頂点（第１の点）に指を接触させ、指を第１のタッチパネル１１０に接触させた状態を維持しながら当該一方の頂点と中心を挟んで対向する他方の頂点（第２の点）まで指をスライドさせることにより範囲５０６ａを指定することができる。
ユーザ指定範囲内情報抽出部１５６は、抽出したユーザ指定範囲内情報を記憶部１６０に格納する機能を有する。
検索部１５１は、ユーザ指定範囲内情報の中の文字列に対して後述の構文解析を行うことにより、ファイル名候補となる文字列（以下、「ファイル名候補文字列」と称す。）を抽出するとともに、記憶部１６０に格納されている複数のファイルに関する後述のファイル管理情報を取得し、その後、当該ファイル管理情報に基づいて、複数のファイルの中でファイル名候補文字列と一致するファイル名を検索し、当該ファイル名が検出されると、複数のファイルの中から当該ファイル名が付与されたファイルを特定する機能を有する（検索部１５１の動作の詳細は、後の＜３−２＞で述べる）。  
添付処理部１５２は、ファイル送信部１８０がファイル特定部１５７により特定されたファイルを電子メールに添付して外部に送信するために、当該ファイルを電子メールに添付する機能を有する。
画像作成部１５４は、記憶部１６０に記憶されている描画用アプリケーションを起動させて、ユーザが指を第２のタッチパネル１２０上に接触させて描画することを可能とする。ここで、画像作成部１５４は、ユーザが第２のタッチパネル１２０上に指を接触させてドラッグして軌跡を描くと、当該軌跡上に存在する物理座標値を取得し、当該物理座標値に基づいて、第２のタッチパネル１２０上に表示されたビットマップ画像における対して、軌跡と重なる部分の画素の色調を変更することにより新たなファイルを生成する機能を有する。
制御部１４０は、第１のタッチパネル１１０および第２のタッチパネル１２０からプロセッサ１７０に入力される物理座標値を示すデータに基づいて第１のタッチパネル１１０の操作状態および第２のタッチパネル１２０の操作状態を検出する機能を有する検出部１４１と、第１のタッチパネル１１０の操作状態および第２のタッチパネル１２０の操作状態がタッチ状態であることを示すメッセージ（ＰＲＥＳＳメッセージ）或いはユーザが指を第１のタッチパネル１１０または第２のタッチパネル１２０に接触させた状態を維持しつつ指を移動させたときの移動後の接触位置を示すメッセージ（ＭＯＶＥメッセージ）をユーザ指定範囲内情報抽出部１５６に対して発行する機能を有するメッセージ発行部１４２と、第１のタッチパネル１１０または第２のタッチパネル１２０からプロセッサ１７０に物理座標値を示すデータが入力されると、当該物理座標値を示すデータに含まれる物理座標値を、後述の操作制御用座標系における座標値（以下、論理座標値と称す）に変換して出力する機能を有する座標変換部１４３とを備える。
ここで、ＰＲＥＳＳメッセージは、ユーザが指を接触させている接触位置の物理座標値と、接触位置が第１のタッチパネル１１０内か第２のタッチパネル１２０内かを識別するためのタッチパネル識別情報とを含んでいる。また、ＭＯＶＥメッセージは、移動後の接触位置の物理座標値と、当該接触位置が第１のタッチパネル１１０内に位置するか、あるいは、第２のタッチパネル１２０内に位置するかを識別するためのタッチパネル識別情報とを含んでいる。なお、制御部１４０の一部を構成する検出部１４１、メッセージ発行部１４２および座標変換部１４３それぞれは、記憶部１６０に記憶されている制御プログラムをプロセッサ１７０が実行することにより実現されている。
ここで、前述した操作制御用座標系について図４に基づいて説明する。以下、図４に示す携帯電話機１００の長手方向を上下方向とし、携帯電話機１００の短手方向を左右方向として説明する。
操作制御用座標系では、第１のタッチパネル１１０の左上隅の座標値を（０，０）として、左右方向をｘ軸、上下方向をｙ軸とし、右方向をｘ軸の正方向、下方向をｙ軸の正方向としている。本実施の形態の説明では、当該操作制御座標系における各座標値を論理座標値と称している。図４には、操作制御用座標系の一例を示しており、第１のタッチパネル１１０の右上端の論理座標値が（１５０，０）、第１のタッチパネル１１０の左下端の論理座標値が（０，３００）、第１のタッチパネル１１０の左下端の論理座標値が（１５０，３００）に設定され、第２のタッチパネル１２０の左上端の論理座標値が（０，３５０）、第２のタッチパネル１２０の右上端の論理座標値が（１５０，３５０）、第２のタッチパネル１２０の左下端の論理座標値が（０，５５０）、右下端の論理座標値が（１５０，５５０）に設定されている。ここに、第２のタッチパネル１２０の上端に沿った各点の論理座標値におけるｙ座標の値は、第１のタッチパネル１１０の下端と第２のタッチパネル１２０の上端との間に介在するベゼルの上下方向の幅を考慮して設定されている。
ところで、第１の入力部１１２は、ユーザが指を第１のタッチパネル１１０が有する第１のＬＣＤ１１０ａの左上端に接触させると物理座標値（０，０）を示すデータをプロセッサ１７０に送出し、ユーザが指を第１のＬＣＤ１１０ａの右下端に接触させると物理座標値（１５０，３００）を示すデータをプロセッサ１７０に送出する。また、第２の入力部１２２は、ユーザが指を第２のＬＣＤ１２０ａの左上端に接触させると物理座標値（０，０）をプロセッサ１７０に送出し、ユーザが指を第２のＬＣＤ１２０ａの右下端に接触させると物理座標値（１５０，２００）をプロセッサ１７０に送出する。ここで、第１のタッチパネル１１０の第１の入力部１１２から入力される物理座標値は、論理座標値と一致し、第２のタッチパネル１２０の第２の入力部１２２から入力される物理座標値は、論理座標値に比べて、第１のタッチパネル１１０の上下方向の長さに相当する分とベゼルの上下方向の幅に相当する分とを合わせた分だけｙ座標の値が小さくなっている。
従って、座標変換部１４３は、第１のタッチパネル１１０の第１の入力部１１２から入力される物理座標値に対しては当該物理座標値をそのまま論理座標値として座標記憶部１３０に格納し、第２のタッチパネル１２０の第２の入力部１２２から入力される物理座標値に対しては、当該物理座標値のｙ座標に第１のタッチパネル１１０の上下方向の長さに相当する分とベゼルの上下方向の幅に相当する分とを合わせた分である「３５０」を加えたものを論理座標値として座標記憶部１３０に格納する。
記憶部１６０は、前記表示制御用アプリケーションおよび前記制御プログラム等の各種のプログラムや、複数のファイル（例えば、画像ファイル等）を格納する。また、記憶部１６０に含まれる一部の領域は、座標変換部１４３から出力される論理座標値を示すデータを格納するための座標記憶部１３０を構成している。更に、記憶部１６０に含まれる他の一部の領域は、ユーザ指定範囲内情報抽出部１５６が抽出したユーザ指定範囲内情報を一時的に格納しておくための一時記憶部を構成している。なお、記憶部１６０は、ＳＲＡＭ（Ｓｔａｔｉｃ  Ｒａｎｄｏｍ  Ａｃｃｅｓｓ  Ｍｅｍｏｒｙ）等の各種メモリにより構成することができる。また、前記複数のファイルは、ユーザが第１のタッチパネル１１０または第２のタッチパネル１２０を操作することにより、予め記憶部１６０に格納されている。また、記憶部１６０には、図１３に示すようなファイル管理情報が格納されている。ここで、ファイル管理情報は、図１３に示すように、例えば、ファイル名「大阪府○○市」が付与されたファイルＡがディレクトリＹの中にある等の情報から構成されている。
ファイル送信部１８０は、ファイル特定部１５７により特定されたファイルを添付処理部１５２が電子メールに添付し、当該ファイルが添付された電子メールを外部に送信する。
本実施の形態に係る携帯電話機１００は、図１に示すように、矩形板状の第１の筐体と第１の筐体の厚み方向における一表面側に第１の筐体１０１の長手方向に沿ってスライド可能に取着された矩形板状の第２の筐体１０２とを備える。ここで、第１の筐体１０１の前記一表面側には、第１の筐体１０１の短手方向の両端部それぞれに第１の筐体１０１の長手方向に沿って係合用突起１０１ａが形成され、一方、第２の筐体１０２の厚み方向における第１の筐体１０１側の一表面側には、第２の筐体１０２の短手方向の両端部それぞれに第２の筐体１０２の長手方向に沿って係合用溝部１０２ａが形成されている。ここに、第２の筐体１０２は、係合用溝部１０２ａに第１の筐体１０１の係合用突起１０１ａが係合する形で、第１の筐体１０１の前記一表面側に取着される。
第１の筐体１０１は、厚み方向における前記一表面側とは反対側の他表面側に平面視長方形状の第１の窓部１０１ｂが形成されており、第１の窓部１０１ｂの内側に第１のタッチパネル１１０が設けられている。また、第１の筐体１０１の前記一表面側には、第１の窓部１０１ｂの長手方向おける一端側にスピーカ１０３が配設されている。
第２の筐体１０２は、厚み方向における第１の筐体１０１側の一表面に平面視長方形状の第２の窓部１０２ｂが形成されており、第２の窓部１０２ｂの内側に第２のタッチパネル１２０が設けられている。また、第２の筐体１０２における第１の筐体１０１側の一表面側には、第２の窓部１０２ｂの長手方向における前記一端側とは反対側の他端側にマイクロフォン１０４が配設されている。
従って、ユーザが、第１の筐体１０１に対して第２の筐体１０２を第１の筐体１０１の長手方向にスライドさせると、第２の筐体１０２の第２のタッチパネル１２０が外部に露出し、ユーザは、第２のタッチパネル１２０に指やタッチペン等を接触させることができるようになるとともに、マイクロフォン１０４を介した音声入力が可能となる。
また、第１のタッチパネル１１０および第２のタッチパネル１２０には、カーソルキーやＱＷＥＲＴＹキー等からなるキー群を示す画像や、アイコンを示す画像（図１参照）が表示されている。ユーザは、前記キー群を示す画像や前記アイコンを示す画像等に指を接触させることで、携帯電話機１００を操作することができる。
図６に示すように、第１のタッチパネル１１０に複数のＱＷＥＲＴＹキーが表示されている場合、ユーザは、当該ＱＷＥＲＴＹキーに指を接触させるだけで文字データ等を携帯電話機１００に入力することができる。また、図１に示すように、第１のタッチパネル１１０および第２のタッチパネル１２０に、図１に示すように、第１のアイコン１乃至第５のアイコン５が表示されている場合、ユーザは、第５のアイコン５に指を接触させると、携帯電話機１００に音楽ファイルを再生させることができる。或いは、第１のタッチパネル１１０にカーソルキーを示す画像（図示せず）が表示されている場合、ユーザは、第１のタッチパネル１１０上のカーソルキーが表示された位置に指を接触させ、そのままスライドさせることで、第１のタッチパネル１１０内でカーソルキーを移動させることができる。
＜３＞動作
＜３−１＞動作全体の説明
次に、実施の形態の携帯電話機１００の動作について説明する。
以下において、第１のタッチパネル１１０の操作状態および第２のタッチパネル１２０の操作状態には、ユーザが指を第１のタッチパネル１１０または第２のタッチパネル１２０に接触させているタッチ状態と、ユーザが指を第１のタッチパネル１１０または第２のタッチパネル１２０から離脱させたデタッチ状態とがあるものとし、第１のタッチパネル１１０または第２のタッチパネル１２０の操作状態がタッチ状態で維持されている状態をドラッグ状態として説明する。なお、一般的にドラッグ状態と言えば、ユーザが指を第１のタッチパネル１１０または第２のタッチパネル１２０に接触させた状態を維持しつつ、第１のタッチパネル１１０または第２のタッチパネル１２０の表面に沿って指の接触位置を移動させることを意味することが多いが、本実施の形態では、ユーザが指を第１のタッチパネル１１０または第２のタッチパネル１２０上の一部に接触させてその位置を移動させない場合もドラッグ状態に含むものとして説明する。
【００１４】
図５に、本実施の形態の携帯電話機１００の動作を表すフローチャートを示す。
【００１５】
図５では、一例として、返信メールアプリケーションが起動され、予め記憶部１６０に格納された複数のファイルの中から選択した１つのファイルを返信メール（電子メール）に添付する動作を挙げて説明する。
まず、ユーザが返信メールアプリケーションを起動すると、第１のタッチパネル１１０上に携帯電話機１００が受信した複数の電子メールそれぞれの表題が一覧表示される。
次に、ユーザが、一覧表示された表題の中から返信する対象となる電子メールの表題が表示された部分に指を接触させると、図６に示すように、第１のタッチパネル１１０上に当該電子メールに対する返信メール作成画面が表示される（ステップＳ１）。
【００１６】
ここで、第１のタッチパネル１１０上には、返信メール作成画面５００が表示され、第２のタッチパネル１２０には、ＱＷＥＲＴＹキー５０５が表示される。また、返信メール作成画面５００は、宛先表示領域５０１と、ＣＣ表示領域５０２と、件名表示領域５０３と、添付ファイル表示領域５０４と、返信する対象となる電子メールの内容からなる本文５０７を表示する本文表示領域５０６とから構成されている。
【００１７】
次に、ユーザが第１のタッチパネル１１０または第２のタッチパネル１２０に指を接触させると、ユーザが指を接触させている位置の物理座標値を示すデータである接触位置データがプロセッサ１７０に入力され、検出部１４１が第１のタッチパネル１１０の操作状態または第２のタッチパネル１２０の操作状態がタッチ状態にあることを検出する（ステップＳ２）。
【００１８】
検出部１４１が、第１のタッチパネル１１０の操作状態または第２のタッチパネル１２０の操作状態がタッチ状態にあることを検出すると、メッセージ発行部１４２は、単位時間毎（例えば、１／６０秒毎）に断続的に、ＰＲＥＳＳメッセージを表示処理部１５３に対して発行する（ステップＳ３）。
ステップＳ３では、表示処理部１５３が、ＰＲＥＳＳメッセージを受け取ると、第１のタッチパネル１１０または第２のタッチパネル１２０に前記接触位置に表示されている文字がユーザにより指定されている状態であることが分かるような表示を行わせる。例えば、第１のタッチパネル１１０または第２のタッチパネル１２０における前記接触位置に表示されている文字の色と当該文字の背景の色とを共に変更する等の表示を行わせる。ここで、表示処理部１５３は、ＰＲＥＳＳメッセージに含まれる物理座標値およびタッチパネル識別情報に基づいて第１のタッチパネル１１０の第１の表示部１１１または第２のタッチパネル１２０の第２の表示部１２１を制御することにより、第１のタッチパネル１１０または第２のタッチパネル１２０の表示内容を変更する。
また、ステップＳ３では、座標変換部１４３が、第１のタッチパネル１１０または第２のタッチパネル１２０からプロセッサ１７０に入力される前記接触位置データを取得し、前記接触位置データに含まれる物理座標値を論理座標値に変換し、当該論理座標値を示すデータを出力する。
次に、検出部１４１は、タッチ状態にある第１のタッチパネル１１０の操作状態または第２のタッチパネル１２０の操作状態がデタッチ状態に移行したか否かを判定する判定処理を行う（ステップＳ４）。また、前記判定処理は、第１のタッチパネル１１０または第２のタッチパネル１２０からプロセッサ１７０に前記接触位置データが入力されているか否かによって判定を行う。つまり、検出部１４１は、タッチ状態にある第１のタッチパネル１１０または第２のタッチパネル１２０からプロセッサ１７０に前記接触位置データが入力されていることを検出すると、タッチ状態にある第１のタッチパネル１１０の操作状態または第２のタッチパネル１２０の操作状態がタッチ状態で維持されていると判定し、タッチ状態にあった第１のタッチパネル１１０または第２のタッチパネル１２０からプロセッサ１７０に前記接触位置データが入力されなくなったことを検出した場合は、タッチ状態にある第１のタッチパネル１１０の操作状態または第２のタッチパネル１２０の操作状態がデタッチ状態に移行したと判定する。
ステップＳ４において、タッチ状態にある第１のタッチパネル１１０の操作状態または第２のタッチパネル１２０の操作状態がタッチ状態で維持されていると判定されると（ステップＳ４：Ｎｏ）、メッセージ発行部１４２が、単位時間毎（例えば、１／６０秒毎）に断続的に、ＭＯＶＥメッセージを表示処理部１５０に対して発行する（ステップＳ５）。
また、ステップＳ５では、座標変換部１４３が、第１のタッチパネル１１０または第２のタッチパネル１２０からプロセッサ１７０に入力される移動後の前記接触位置データを取得し、当該移動後の前記接触位置データに含まれる物理座標値を論理座標値に変換し、当該論理座標値を示すデータを出力する。
以後、タッチ状態にある第１のタッチパネル１１０または第２のタッチパネル１２０の操作状態がデタッチ状態に移行したと判定されるまで（ステップＳ４：Ｙｅｓ）、第１のタッチパネル１１０および第２のタッチパネル１２０の操作状態の判定処理（ステップＳ４）と、メッセージ発行部１４２による表示処理部１５３に対するＭＯＶＥメッセージの発行（ステップＳ５）とが繰り返される。
ここにおいて、表示処理部１５３は、ＰＲＥＳＳメッセージに含まれる物理座標値およびタッチパネル識別情報で特定される位置（第１の点）と、ＭＯＶＥメッセージに含まれる物理座標値およびタッチパネル識別情報で特定される位置（第２の点）とを結ぶ線を含む矩形状の範囲（図７参照）を前記ユーザの指定範囲５０６ａとして、第１のタッチパネル１１０または第２のタッチパネル１２０に、ユーザの指定範囲５０６ａ内に表示されている文字がユーザにより指定されている状態であることが分かるような表示を行わせる。
一方、ステップＳ４において、タッチ状態にある第１のタッチパネル１１０の操作状態または第２のタッチパネル１２０の操作状態がデタッチ状態に移行したと判定する（ステップＳ４：Ｙｅｓ）と、メッセージ発行部１４２が、ＭＯＶＥメッセージを表示処理部１５０と共にファイル特定部１５７の一部を構成するユーザ指定範囲内情報抽出部１５６に対して発行し、ユーザ指定範囲内情報抽出部１５６は、ＰＲＥＳＳメッセージに含まれる物理座標値およびタッチパネル識別情報で特定される位置（第１の点）と、ＭＯＶＥメッセージに含まれる物理座標値およびタッチパネル識別情報で特定される位置（第２の点）とを結ぶ線を含む矩形状の範囲（図７参照）を前記ユーザの指定範囲５０６ａとして、前記ユーザの指定範囲５０６ａ内に含まれる情報（以下、ユーザ指定範囲内情報と称す）の抽出を行い、当該ユーザ指定範囲内情報を記憶部１６０内の一時記憶部（図示せず）に格納する（ステップＳ６）。なお、ユーザ指定範囲内情報抽出部１５６によるユーザ指定範囲内情報を抽出する動作については、後の＜３−２＞で述べる。
次に、ファイル特定部１５７の一部を構成する検索部１５１が、予め記憶部１６０に格納された複数のファイルの中から、前記ユーザ指定範囲内情報の中の文字列と一致するファイル名が付与されたファイルを検索するファイルの検索処理が行われる（ステップＳ７）。ファイルの検索処理の詳細については、図１４を用いて詳述する。
ここで、ステップＳ７の動作を、記憶部１６０に格納されたファイルの概念図（図８参照）を用いて詳細に説明する。記憶部１６０には、図８（ａ）に示すように、所定の地域（大阪府○○市△△）の周辺地図を示す地図画像データ（地図画像データＡ）から構成され当該所定の地域名からなるファイル名７０３が付与されたファイルや、ある人物の写真画像データ（写真画像データＢ）から構成され当該人物の氏名（山田  太郎）からなるファイル名７０４が付与されたファイル等の複数のファイルが格納されている。
ここにおいて、第２のタッチパネル１２０に地図画像が表示された状態における携帯電話機１００の外観を図９に示す。図９に示すように、第２のタッチパネル１２０には、地図画像ファイルの内容（地図画像）が表示されている。図６と図９とを比較すると明らかなように、前記地図画像は、第２のタッチパネル１２０に表示されていたＱＷＥＲＴＹキー５０５の代わりに表示されることになる。また、図９に示すように、第２のタッチパネル１２０に表示される地図画像には、主要な場所を示すマーク８０１と、スケールを拡大縮小するために用いられる拡大縮小部８０２と、ユーザが第２のタッチパネル１２０にデータ入力ができる状態にするための入力開始ボタン８０３とが表示されている。入力開始ボタン８０３は、後述のように、ユーザが第２のタッチパネル１２０からデータを入力する際に操作される。
次に、ステップＳ７の結果、検索部１５１が、ユーザ指定範囲情報の中の文字列を含むファイル名が付与されたファイルを特定できたか否かを判断する（ステップＳ８）。
ステップＳ８において、検索部１５１が、ユーザ指定範囲内情報の中の文字列を含むファイル名が付与されたファイルを特定できなかったと判断すると（ステップＳ８：Ｎｏ）、記憶部１６０に格納されたファイルを返信メールに添付する動作を終了する。
一方、ステップＳ８において、検索部１５１が、ユーザ指定範囲内情報の中の文字列を含むファイル名が付与されたファイルを特定したと判断すると（ステップＳ８：Ｙｅｓ）、記憶部１６０に格納されるファイルの種類に応じて以下のように処理がなされる。記憶部１６０に、図８（ａ）に示すように、地図画像データ等から構成される複数のファイルが格納されている場合、検索部１５１が、前記所定の地域名（大阪府○○市△△）からなるファイル名７０３が付与されたファイルを特定すると、表示処理部１５３が、当該ファイルの内容である前記所定の地域の周辺地図を示す地図画像データ（地図画像データＡ）を第２のタッチパネル１２０に表示する（ステップＳ９）。ここで、地図画像データは、例えば、ＪＰＥＧ等の圧縮方式で圧縮されたデータから構成され、表示処理部１５３は、検索部１５１が特定したデータに適宜解凍処理を行った上で当該地図画像データを第２のタッチパネル１２０に表示する（ステップＳ９）。
次に、添付処理部１５２が、ユーザが第２のタッチパネル１２０から、検索部１５１により特定されたファイルを電子メールに添付するための添付操作がなされたか否かを判断する（ステップＳ１０）。
前記添付操作は、図１０に示すように、ユーザが指を第２のタッチパネル１２０に接触させ、第２のタッチパネル１２０に指を接触させた状態を維持しながら第１のタッチパネル１１０に向かう方向（上方向）に所定の距離だけスライドさせる。
ステップＳ１０において、ユーザが前記添付操作を行ったと判断すると（ステップＳ１０：Ｙｅｓ）、添付処理部１５２が、ファイル特定部１５７が特定したファイルを電子メールに添付する（ステップＳ１１）。
【００１９】
一方、ステップＳ１０において、ユーザが前記添付操作を行っていないと判断すると（ステップＳ１０：Ｎｏ）、判断部１５５が、第２のタッチパネル１２０に前記地図画像が表示されてから所定の時間（例えば、５秒間）が経過したか否かを判断する（ステップＳ１２）。
なお、当該所定の時間としては、５秒間に限定されるものではなく、その他適当な時間に設定してもよい。
ステップＳ１２において、判断部１５５が、第２のタッチパネル１２０に前記地図画像の表示を開始してから所定の時間が経過したと判断すると（ステップＳ１２：Ｙｅｓ）、メールにファイル特定部１５７により特定されたファイルを電子メールに添付する（ステップＳ１０）。
一方、ステップＳ１２において、判断部１５５が、第２のタッチパネル１２０に前記地図画像を表示してから所定の時間が経過していないと判断すると（ステップＳ１２：Ｎｏ）、画像作成部１５４が、ユーザが図９に示す第２のタッチパネル１２０に表示された入力開始ボタン８０３に指を接触させたか否かを判断する（ステップＳ１３）。
ステップＳ１３において、ユーザが入力開始ボタン８０３に指やタッチペン等を接触させていないと判断すると（ステップＳ１３：Ｎｏ）、添付処理部１５２が、ファイル特定部１５７が特定したファイルの電子メールへの添付処理がなされたか否かを再度判断する（ステップＳ１０）。
一方、ステップＳ１３において、ユーザが入力開始ボタン８０３に指やタッチペン等を接触させたと判断すると（ステップＳ１３：Ｙｅｓ）、画像作成部１５４が、記憶部１６０に記憶されている描画用アプリケーションが起動する（ステップＳ１４）。
画像作成部１５４が描画用アプリケーションを起動すると、ユーザがタッチペン等により第２のタッチパネル１２０に表示された地図画像上に描画することが可能となる。ここで、描画用アプリケーションとしては、ペイントツールアプリケーションを用いることができる。
次に、ユーザが、第２のタッチパネル１２０からデータ（例えば、図１１に示す画像データ１００１）を入力する（例えば、指等により第２のタッチパネル１２０上に描画する）と、画像作成部１５４が、検索部１５１により特定されたファイルを構成するデータとユーザが入力したデータとに基づいて新たなファイルを作成するファイル作成処理を行う（ステップＳ１４）。
次に、添付処理部１５２が、ユーザが第２のタッチパネル１２０から、ファイルを電子メールに添付するための添付操作を行ったか否かを判断する（ステップＳ１０）。
ここで、添付処理部１５２が、データの電子メールへの添付処理がなされたと判断すると（ステップＳ１０：Ｙｅｓ）、ファイル作成処理により作成された新たなファイルの電子メールへの添付処理がなされる（ステップＳ１１）。
ここに、ファイルが電子メールに添付された後における携帯電話機１００の外観を図１２に示す。図１２に示すように、返信メール画面５００の添付ファイル表示部５０４には、ファイルを示すアイコン１１０１が表示されている。また、図１２に示すように、ファイルが添付された後は、第２のタッチパネル１２０には、再び、ＱＷＥＲＴＹキー５０５が表示される。
＜３−２＞ファイルの検索処理で行われる動作の説明
次に、図５におけるファイルの検索処理で行われる動作について詳細に説明する。
【００２０】
ここで、ユーザ指定範囲内情報が複数の文字から構成される文字群である場合における、ファイルを検索する処理のフローチャートを図１４に示す。
【００２１】
まず、検索部１５１は、ユーザ指定範囲内情報抽出部１５６が抽出したユーザ指定範囲内情報を構成する文字群に対して構文解析を行い、当該文字群における構文の境界位置を特定する（ステップＳ７１）。ここで、構文解析は、例えば、語彙機能文法を用いて行う。
次に、検索部１５１は、文字群における構文の境界位置に基づいて、ファイル名に用いられる可能性のある名詞を構成する文字列（以下、ファイル名候補文字列と称す）をユーザ指定範囲内情報から抽出する（ステップＳ７２）。
【００２２】
次に、検索部１５１は、記憶部１６０に格納されている複数のファイルに関するファイル管理情報を取得する（ステップＳ７３）。ファイル管理情報には、図１４に示すように、記憶部１６０に格納されている複数のファイルそれぞれに付与された固有のファイル名と、各ファイルの所在に関する情報とが含まれている。
次に、検索部１５１は、ファイル名候補文字列と一致するファイル名が付与されたファイルをファイル管理情報に基づいて検索する（ステップＳ７４）。
次に、検索部１５１が、ステップＳ７４により前記ファイル名候補文字列と一致するファイル名が付与されたファイルが存在したか否かを判定する（ステップＳ７５）。
ステップＳ７５において、検索部１５１が、前記ファイル名候補文字列と一致するファイル名が付与されたファイルが存在したと判定すると（ステップＳ７５：Ｙｅｓ）、検索部１５１は、前記ファイル管理情報に基づいて当該ファイルを特定し、そのまま次のステップＳ７７へ移行する（ステップＳ７６）。
一方、ステップＳ７５において、検索部１５１が、前記ファイル名候補文字列と一致するファイル名が付与されたファイルが存在しなかったと判定すると（ステップＳ７５：Ｙｅｓ）、そのまま次のステップＳ７７へ移行する（ステップＳ７６）。
次に、検索部１５１は、前記ファイル名候補文字列の全てについて検索を行った否かを判定する（ステップＳ７７）。
ステップＳ７７において、前記ファイル名候補文字列の全てについて検索を行ったと判定されると（ステップＳ７７：Ｙｅｓ）、ステップ８に移行する。
一方、ステップＳ７７において、前記ファイル名候補文字列の中に、まだ検索を行っていない文字列が残っていると判定した場合（ステップＳ７７：Ｎｏ）、再びステップＳ７３から処理を行う。
結局、本実施の形態におけるファイルの検索処理では、図１５に示すように、ユーザ指定範囲内情報に対して構文解析を行った後、ファイル名候補となる文字列を抽出し、当該ファイル名候補文字列と一致するファイル名を検索し、当該ファイル名が付与されたファイルの所在をファイル管理情報に基づいて特定する。
＜３−３＞具体例による動作の説明
本実施の形態の携帯電話機１００の動作について、具体例を用いて説明する。
以下では、図６に示す第１のタッチパネル１１０のユーザ指定範囲５０６ａ内に表示される情報（ユーザ指定範囲内情報）の中の文字列と一致するファイル名が付与されたファイルを特定し電子メールに添付する例について説明する。
ユーザが指を第１のタッチパネル１１０に接触させると、第１のタッチパネル１１０からプロセッサ１７０に、ユーザが指を接触させている位置の物理座標値（５０，２００）を示すデータである接触位置データが出力される。
検出部１４１は、前記接触位置データのプロセッサ１７０への入力を検出することにより、第１のタッチパネル１１０の操作状態がタッチ状態であることを検出する（図５のステップＳ２参照）。
検出部１４１が、第１のタッチパネル１１０の操作状態がタッチ状態であることを検出すると、メッセージ発行部１４２は、ユーザが指を接触させた位置の物理座標値（５０，２００）および当該物理座標値が第１のタッチパネル１１０上にあることを示すタッチパネル識別情報を含むＰＲＥＳＳメッセージを、表示処理部１５３およびユーザ指定範囲内情報抽出部１５６に対して発行する（図５のステップＳ３参照）。
ここで、座標変換部１４３は、第１のタッチパネル１１０から入力された前記接触位置情報に基づいて、物理座標値（５０，２００）を論理座標値（５０，２００）に変換し、当該論理座標値（５０，２００）を示すデータを座標記憶部１３０に格納する。ここにおいて、物理座標値が（５０，２００）であり、タッチパネル識別情報が第１のタッチパネル１１０を示していることから、論理座標値は（５０，２００）となる。
次に、検出部１４１は、第１のタッチパネル１１０の操作状態がタッチ状態からデタッチ状態に移行したか否かの判定をする判定処理を行う（図５のステップＳ４参照）。
ユーザが第１のタッチパネル１１０に対してドラッグ操作を続けている間は、第１のタッチパネル１１０の操作状態はタッチ状態で維持されていると判定され（図５のステップＳ４：Ｎｏ参照）、メッセージ発行部１４２が、ＭＯＶＥメッセージを表示処理部１５３に対して発行する（図５のステップＳ５参照）。
ここで、座標変換部１４３は、第１のタッチパネル１１０から入力された前記接触位置情報に基づいて、物理座標値（８０，２００）を論理座標値（８０，２００）に変換し、当該論理座標値（８０，２００）を示すデータを座標記憶部１３０に格納する。ここにおいて、物理座標値が（８０，２００）であり、タッチパネル識別情報が第１のタッチパネル１１０を示していることから、論理座標値は（８０，２００）となる。
その後、第１のタッチパネル１１０の操作状態がドラッグ状態（つまり、第１のタッチパネル１１０の操作状態がタッチ状態で維持されている状態）にある限り、単位時間毎（実施例では、１／６０秒毎）に、前記判定処理（図５のステップＳ４）と、メッセージ発行部１４２による表示処理部１５３へのＭＯＶＥメッセージの発行（図５のステップＳ５）とを繰り返す。
ここにおいて、表示処理部１５３は、ＰＲＥＳＳメッセージに含まれる物理座標値（５０，２００）および物理座標値（５０，２００）が第１のタッチパネル１１０上にあることを示すタッチパネル識別情報で特定される位置（第１の点）と、ＭＯＶＥメッセージに含まれる物理座標値（８０，２００）および物理座標値（８０，２００）が第１のタッチパネル１１０上にあることを示すタッチパネル識別情報で特定される位置（第２の点）とを結ぶ線を含む矩形状の範囲を前記ユーザの指定範囲５０６ａとして、第１のタッチパネル１１０に、ユーザの指定範囲５０６ａに表示されている文字がユーザにより指定されている状態であることが分かるような表示を行わせる。つまり、表示処理部１５３は、第１のタッチパネル１１０に、ユーザの指定範囲５０６ａ内に表示されている文字の色と当該文字の背景の色とを共に変更する等の表示を行わせる。
ここで、表示処理部１５３は、ＰＲＥＳＳメッセージおよびＭＯＶＥメッセージに含まれる物理座標値（５０，２００）、（８０，２００）および物理座標値（５０，２００）、（８０，２００）が第１のタッチパネル１１０上にあることを示すタッチパネル識別情報に基づいて第１のタッチパネル１１０の第１の表示部１１１を制御することにより、第１のタッチパネル１１０の表示内容を変更する。
一方、ユーザが指を第１のタッチパネル１１０から離脱させることにより、前記判定処理で、第１のタッチパネル１１０の操作状態がタッチ状態からデタッチ状態に移行したと判定されると（図５のステップＳ４：Ｙｅｓ参照）、メッセージ発行部１４２が、ＭＯＶＥメッセージを表示処理部１５０と共にユーザ指定範囲内情報抽出部１５６に対して発行し、ユーザ指定範囲内情報抽出部１５６は、ＰＲＥＳＳメッセージに含まれる物理座標値（５０，２００）および物理座標値（５０，２００）が第１のタッチパネル１１０上にあることを示すタッチパネル識別情報で特定される位置（第１の点）と、ＭＯＶＥメッセージに含まれる物理座標値（８０，２００）および物理座標値（８０，２００）が第１のタッチパネル１１０上にあることを示すタッチパネル識別情報で特定される位置（第２の点）とを結ぶ線を含む矩形状の範囲を前記ユーザの指定範囲５０６ａとして、前記ユーザの指定範囲５０６ａ内に含まれるユーザ指定範囲内情報の抽出を行い、当該ユーザ指定範囲内情報を記憶部１６０内の一時記憶部に格納する（図５のテップＳ６参照）。
次に、検索部１５１が、予め記憶部１６０に格納された複数のファイルの中から、前記ユーザ指定範囲内情報の中の文字列と一致するファイル名が付与されたファイルを検索する（図５のステップＳ７参照）。
ここで、記憶部１６０には、図８（ａ）に示すように、所定の地域（大阪府○○市△△）の周辺地図を示す地図画像データ（地図画像データＡ）から構成され当該所定の地域名からなるファイル名７０３が付与されたファイルや、ある人物の写真画像データ（写真画像データＢ）から構成され当該人物の氏名（山田  太郎）からなるファイル名７０４が付与されたファイル等の複数のファイルが格納されている。
次に、検索部１５１が、ユーザ指定範囲情報の中の文字列を含むファイル名が付与されたファイルを特定できたか否かを判断する（図５のステップＳ８参照）。
検索部１５１が、ユーザ指定範囲内情報の中の文字列を含むファイル名が付与されたファイルを特定できなかったと判断すると（図５のステップＳ８：Ｎｏ参照）、記憶部１６０に格納されたファイルを返信メールに添付する動作を終了する。
一方、検索部１５１が、前記ユーザ指定範囲情報に含まれる文字列（大阪府○○市△△）と一致するファイル名７０５が付与されたファイルを特定できたと判定されると（図５のステップＳ８：Ｙｅｓ参照）、表示処理部１５３が、所定の地域（大阪府○○市△△）の周辺地図を示す地図画像データから構成されるファイルの内容を第２のタッチパネル１２０に表示する（図５のステップＳ９参照）。
次に、添付処理部１５２が、ユーザが第２のタッチパネル１２０から、検索部１５１により特定されたファイルを電子メールに添付するための添付操作がなされたか否かを判断する（図５のステップＳ１０参照）。
前記添付操作では、図１０に示すように、ユーザが指を第２のタッチパネル１２０に接触させ、第２のタッチパネル１２０に指を接触させた状態を維持しながら第１のタッチパネル１１０に向かう方向（上方向）に所定の距離だけスライドさせる。
添付処理部１５２が、ユーザが前記添付操作を行ったと判断すると（図５のステップＳ１０：Ｙｅｓ参照）、添付処理部１５２が、検索部１５１により特定されたファイルを電子メールに添付する（図５のステップＳ１１参照）。
【００２３】
一方、添付処理部１５２が、ユーザが添付操作を行っていないと判断すると（図５のステップＳ１０：Ｎｏ参照）、判断部１５５が、第２のタッチパネル１２０に地図画像が表示されてから５秒間が経過したか否かを判断する（図５のステップＳ１２参照）。
判断部１５５が、第２のタッチパネル１２０に前記地図画像の表示を開始してから５秒間が経過したと判断すると（図５のステップＳ１２：Ｙｅｓ参照）、メールに検索部１５１により特定されたファイルを電子メールに添付する（図５のステップＳ１１参照）。
一方、判断部１５５が、第２のタッチパネル１２０に前記地図画像を表示してから５秒間を経過していないと判断すると（図５のステップＳ１２：Ｎｏ参照）、画像作成部１５４が、ユーザが図９に示す第２のタッチパネル１２０に表示された入力開始ボタン８０３に指を接触させたか否か（ファイル作成処理の開始入力が有ったか）を判断する（図５のステップＳ１３参照）。
画像作成部１５４が、ユーザが入力開始ボタン８０３に指やタッチペン等を接触させていないと判断すると（図５のステップＳ１３：Ｎｏ参照）、添付処理部１５２が、検索部１５１により特定されたファイルの電子メールへの添付処理がなされたか否かを再度判断する（図５のステップＳ１０参照）。
一方、画像作成部１５４が、ユーザが入力開始ボタン８０３に指やタッチペン等を接触させたと判断すると（図５のステップＳ１３：Ｙｅｓ参照）、画像作成部１５４が、記憶部１６０に記憶されているペイントツールアプリケーションが起動して、ファイル作成処理を開始する（図５のステップＳ１４参照）。
次に、ユーザが、例えば、図１１に示すように、自分の現在位置等を表示するために、位置を示す丸印、「ココ」という文字列および矢印を表示する画像１００１を第２のタッチパネル１２０上に描画すると、画像作成部１５４が、検索部１５１により特定されたファイルを構成する地図画像データとユーザが入力した画像データ１００１とに基づき新たなファイルを作成するファイル作成処理を行う（図５のステップＳ１４参照）。
次に、添付処理部１５２が、ユーザが第２のタッチパネル１２０から、新たなファイルを電子メールに添付するための添付操作を行ったか否かを判断する（図５のステップＳ１０参照）。
ここで、添付処理部１５２が、データの電子メールへの添付処理がなされたと判断すると（図５のステップＳ１０：Ｙｅｓ参照）、第２のタッチパネル１２０に表示されているデータの電子メールへの添付処理がなされる（図５のステップＳ１１参照）。
ファイルが電子メールに添付された後は、図１２に示すように、返信メール画面５００の添付ファイル表示部５０４にファイルを示すアイコン１１０１が表示されている。また、ファイルが添付された後は、第２のタッチパネル１２０には、再び、ＱＷＥＲＴＹキー５０５が表示される。
＜実施の形態２＞
以下、本発明に係る通信システムについて説明する。
＜１＞概要
本実施の形態の通信システムは、携帯電話機１００と、携帯電話機１００にネットワークを介して接続されたサーバ装置２００とを備え、固有のファイル名が付与された複数のファイルが、携帯電話機１００の内部に設けられた記憶部１６０と前記サーバ装置の内部に設けられたサーバ内蔵記憶部２６０との両方に格納され、携帯電話機１００の第１のタッチパネル１１０内におけるユーザの指定範囲５０６ａ内の情報（以下、「ユーザ指定範囲内情報」と称す）に含まれる文字列と一致するファイル名が付与されたファイルを、まず、携帯電話機１００の内部に設けられた記憶部１６０に格納された複数のファイルを検索し、ファイルが検出されなかった場合には、次に、サーバ装置２００の内部に設けられたサーバ内蔵記憶部２６０に格納された複数のファイルを検索する。
＜２＞構成
本実施の形態の通信システムの構成を図１６に示す。本実施の形態の通信システムは、通信端末装置である携帯電話機１００と、当該携帯電話機にネットワークを介して接続されたサーバ装置２００とを備える。
携帯電話機１００は、実施の形態１で説明した携帯電話機１００の構成と同様であり、ユーザの指定範囲５０６ａ内に表示されている情報（以下、「ユーザ指定範囲内情報」と称す。）をサーバ装置２００に送信し且つサーバ装置２００から送信される情報を受信する情報送受信部１９０を備えている点が実施の形態１で説明した携帯電話機１００とは相違する。なお、実施の形態１で説明した携帯電話機１００と同様の構成については説明を省略する。また、携帯電話機１００内部に設けられている記憶部１６０には、後述の第１のファイル管理情報が格納されている。
サーバ装置２００は、有線または無線のネットワークを介して携帯電話機１００に接続され、携帯電話機１００の情報送受信部１９０から送信されるユーザ指定範囲内情報を受信し且つ携帯電話機１００に情報を送信するサーバ装置情報送受信部２９０と、固有のファイル名が付与された複数のファイルが格納されるサーバ内蔵記憶部２６０と、サーバ装置情報送受信部２９０で受信したユーザ指定範囲内情報に基づいて記憶部２６０に格納された複数のファイルを検索するサーバ装置内蔵検索部２５１とを備えている。また、サーバ装置内蔵記憶部２６０には、後述の第２のファイル管理情報が格納されている。
ここで、第１のファイル管理情報および第２のファイル管理情報の内容について、図１７に基づいて説明する。
第１のファイル管理情報は、記憶部１６０に格納されている複数のファイルそれぞれに付与された固有のファイル名と、各ファイルの所在に関する情報とが含まれている。例えば、図１７に示すように、ファイル名「大阪府○×市」が付与されたファイルＡが、ディレクトリ「￥ディレクトＹ」の中にある等の情報が含まれる。
第２のファイル管理情報は、サーバ装置内蔵記憶部２６０に格納されている複数のファイルそれぞれに付与された固有のファイル名と、各ファイルの所在に関する情報とが含まれている。例えば、図１７に示すように、ファイル名「大阪府○○市」が付与されたファイルＣが、ディレクトリ「￥ディレクトリＱ」の中にある等の情報が含まれる。
＜３＞動作
次に、本実施の形態の通信システムの動作について説明する。
本実施の形態の通信システムの一部を構成する携帯電話機１００の動作は、実施の形態１と略同様であり、ファイルの検索（図５のステップＳ７）の内容のみが相違する。そこで、以下、本実施の形態の通信システムの一部を構成する携帯電話機１００のファイルの検索に係る動作について説明する。
＜３−１＞ファイルの検索で行われる動作の説明
次に、本実施の形態におけるファイルの検索で行われる動作について詳細に説明する。
【００２４】
ここで、ユーザ指定範囲内情報が複数の文字から構成される文字群である場合における、ファイルを検索する処理のフローチャートを図１８に示す。
【００２５】
まず、携帯電話機１００の内部の検索部１５１が、ユーザ指定範囲内情報抽出部１５６が抽出したユーザ指定範囲内情報を構成する文字群に対して構文解析を行い、当該文字群における構文の境界位置を特定する（ステップＳ１７１）。ここで、構文解析は、例えば、語彙機能文法を用いて行う。
次に、検索部１５１は、文字群における構文の境界位置に基づいて、ファイル名に用いられる可能性のある名詞を構成する文字列（以下、ファイル名候補文字列と称す）をユーザ指定範囲内情報から抽出する（ステップＳ１７２）。
【００２６】
次に、検索部１５１は、記憶部１６０に格納されている複数のファイルに関する第１のファイル管理情報を取得する（ステップＳ１７３）。
次に、検索部１５１は、第１のファイル管理情報に基づいて、ファイル名候補文字列と一致するファイル名が付与されたファイルを、携帯電話機１００内に設けられた記憶部１６０内で検索する（ステップＳ１７４）。
次に、検索部１５１は、ステップＳ１７４により、ファイル名候補文字列と一致するファイル名が付与されたファイルが、携帯電話機１００内に設けられた記憶部１６０内に存在したか否かを判定する（ステップＳ１７５）。
ステップＳ１７５において、検索部１５１が、携帯電話機１００内に設けられた記憶部１６０内に、ファイル名候補文字列と一致するファイル名が付与されたファイルが存在したと判定すると（ステップＳ１７５：Ｙｅｓ）、検索部１５１は、第１のファイル管理情報に基づいて当該ファイルを特定して（ステップＳ１７６）、ステップ８へ移行する。
一方、ステップＳ７５において、検索部１５１が、携帯電話機１００内に設けられた記憶部１６０内に、ファイル名候補文字列と一致するファイル名が付与されたファイルが存在しなかったと判定すると（ステップＳ１７５：Ｙｅｓ）、次のステップＳ１７７に移行する。
次に、検索部１５１が、ファイル名候補文字列の全てについて検索を行った否かを判定する（ステップＳ１７７）。
ステップＳ１７７において、ファイル名候補文字列の全てについて検索を行ったと判定されると（ステップＳ１７７：Ｙｅｓ）、情報送信部１９０が、ネットワークを介して接続されたサーバ装置２００に設けられたサーバ装置情報送受信部２９０に対してファイル名候補文字列を示すデータを送信する（ステップＳ１７８）。
【００２７】
一方、ステップＳ１７７において、ファイル名候補文字列の全てについて検索を行っていないと判定されると（ステップＳ１７７：Ｎｏ）、再び、ステップＳ１７３に移行する。        
サーバ装置２００が携帯電話機１００からファイル名候補文字列を示すデータを受信すると、サーバ装置内蔵検索部２１５は、サーバ装置内蔵記憶部２６０に格納されている複数のファイルに関する第２のファイル管理情報を取得する（ステップＳ１７９）。
次に、サーバ装置内蔵検索部２５１が、第２のファイル管理情報に基づいて、ファイル名候補文字列と一致するファイル名が付与されたファイルを、サーバ装置内蔵記憶部２６０内で検索する（ステップＳ１８０）。
次に、サーバ装置内蔵検索部２５１は、ステップＳ１８０で、ファイル名候補文字列と一致するファイル名が付与されたファイルが、サーバ装置内蔵記憶部２６０内に存在したか否かを判定する（ステップＳ１８１）。
ステップ１８０において、サーバ装置内蔵検索部２５１が、サーバ装置内蔵記憶部２６０内に、ファイル名候補文字列と一致するファイル名が付与されたファイルが存在したと判定すると（ステップＳ１８１：Ｙｅｓ）、サーバ内蔵検索部２５１は、第２のファイル管理情報に基づいて、当該ファイルを特定して（ステップＳ１８２）、ステップＳ８へ移行する。
一方、ステップＳ１８１において、サーバ装置内蔵検索部２５１が、サーバ装置内蔵記憶部２６０内に、ファイル名候補文字列と一致するファイル名が付与されたファイルが存在しなかったと判定すると（ステップＳ１８１：Ｎｏ）、次のステップＳ１８３に移行する。
次に、サーバ装置内蔵検索部２５１が、ユーザ指定範囲内情報から抽出したファイル名候補文字列の全てについて検索を行った否かを判定する（ステップＳ１８３）。
ステップＳ１８３において、ファイル名候補文字列の全てについて検索を行ったと判定されると（ステップＳ１８３：Ｙｅｓ）、図５のステップ８に移行する。
一方、ステップＳ１８３において、ファイル名候補文字列の中に、まだ検索を行っていないファイル名候補文字列が残っていると判定した場合（ステップＳ１８３：Ｎｏ）、再びステップＳ１７９から処理を行う。
結局、本実施の形態におけるファイルの検索処理では、図１９に示すように、ユーザ指定範囲内情報に対して構文解析を行った後、ファイル名候補となる文字列を抽出し、当該ファイル名候補文字列と一致するファイル名を検索し、当該ファイル名が付与されたファイルの所在を第１のファイル管理情報および第２のファイル管理情報に基づいて特定する。
＜変形例＞
（１）前述の実施の形態１では、図３に示すように、まず、第１のタッチパネル１１０内において、ユーザが指定しようとしている文字列の全てを囲むような矩形状の範囲における一方の頂点（第１の点）に指を接触させ、指を第１のタッチパネル１１０に接触させた状態を維持しながら当該一方の頂点と中心を挟んで対向する他方の頂点（第２の点）まで指をスライドさせることにより範囲５０６ａを指定することができる例について説明したが、これに限定されるものではなく、図２０（ａ）に示すように、ユーザが指定しようとしている文字列の一部が重ならない矩形状の範囲５０６ｂを指定する操作を行ったとしても、ユーザが指定しようとしている文字列の全てを囲むような矩形状の範囲５０６ａを指定することができる。
この場合、判断部１５５が、第１の点および第２の点の物理座標値を監視するようにし、判断部１５５が、文字列１行分が表示される領域における第１の点または第２の点の相対的な位置関係に基づいて、当該文字列をユーザの指定範囲に含めるか否かを判断する。
また、図２０（ｂ）に示すように、ユーザが指定しようとしている文字列が一行以内で表示されている場合には、当該文字列の先頭位置（第１の点）から最後尾（第２の点）まで当該文字列に沿った直線上なぞるように指をスライドさせるだけで、当該文字列を含む範囲５０６ａを指定することができる。
この場合、判断部１５５が、第１の点および第２の点の物理座標値を監視するようにし、判断部１５５が、第１の点のｙ座標と、第２の点のｙ座標との差分が文字列一行の幅よりも小さいと判断すると、第１の点と第２の点とを結ぶ直線を含む文字列を含む範囲をユーザの指定範囲５０６ａとする。
（２）前述の実施の形態１では、図３に示すように、第１の点と第２の点との間に形成される領域をユーザの指定範囲５０６ａとする例について説明したが、例えば、図２１に示すように、ユーザ指定範囲内情報が文字群からなり、指定したい文字列が２行に亘って表示されている場合であっても当該文字列を指定することができるようにしてもよい。ここで、ユーザは、まず、図２１（ａ）に示すように、第１のタッチパネル１１０上に２行に渡って表示されている文字列の先頭部分に指を接触させ、指を文字列の最後尾部分までスライドさせる。その後、一旦指を第１のタッチパネルから離脱させた後、所定の時間内に再度文字列の最後尾部分に接触させることにより、図２１（ｂ）に示すように、当該文字列を指定することができるようにすることができる。
【００２８】
ここで、本変形例における動作について説明する。本変形例の動作のフローチャートの一部を図２２に示す。前述の実施の形態１とは、図５に示すフローチャートにおけるステップＳ４とステップＳ６との間に追加処理が入る点が相違する。なお、前述の実施の形態１と動作のフローチャートが共通する部分については説明を省略する。
本変形例の携帯電話機１００では、予め記憶部１６０に、第１のタッチパネル１１０および第２のタッチパネル１２０それぞれにおける２つの頂点（図１におけるａ点、ｂ点、ｃ点、ｄ点）の物理座標値（以下、基準座標値と称す）が格納されている。
また、判断部１５５は、図２１（ｂ）に示すように、前述の操作が行われると、ユーザの指定範囲５０６ａを、２行に亘って表示されている文字列を含む領域に変更するように、表示処理部１５３およびユーザ指定範囲内情報抽出部１５６に対して指示する。
ステップＳ４において、タッチ状態にある第１のタッチパネル１１０の操作状態または第２のタッチパネル１２０の操作状態がデタッチ状態に移行したと判定する（ステップＳ４：Ｙｅｓ）と、検出部１４１が、ユーザが所定の時間（例えば、１秒間）内に第１のタッチパネル１１０または第２のタッチパネル１２０に指やタッチペン等を接触させることにより、デタッチ状態にある第１のタッチパネル１１０の操作状態または第２のタッチパネル１２０の操作状態がタッチ状態に移行したか否かを判定する（ステップＳ４１）。
ステップＳ４１において、第１のタッチパネル１１０の操作状態または第２のタッチパネル１２０の操作状態がタッチ状態に移行していないと判定する（ステップＳ４１：Ｎｏ）と、ステップＳ６（ユーザ指定範囲内情報の抽出）へ移行する。
一方、ステップＳ４１において、検出部１４１が、第１のタッチパネル１１０の操作状態または第２のタッチパネル１２０の操作状態がデタッチ状態に移行したと判定する（ステップＳ４１：Ｙｅｓ）と、ユーザが再度所定の時間（例えば、１秒間）内に第１のタッチパネル１１０または第２のタッチパネル１２０から指やタッチペン等を離脱させることにより、タッチ状態にある第１のタッチパネル１１０の操作状態または第２のタッチパネル１２０の操作状態がデタッチ状態に移行したか否かを判定する（ステップＳ４２）。
ステップＳ４２において、検出部１４１が、第１のタッチパネル１１０の操作状態または第２のタッチパネル１２０の操作状態がデタッチ状態に移行していないと判定する（ステップＳ４２：Ｎｏ）と、ステップＳ２（タッチ状態を検出）へ移行する。
一方、ステップＳ４２において、検出部１４１が、第１のタッチパネル１１０の操作状態または第２のタッチパネル１２０の操作状態がデタッチ状態に移行したと判定する（ステップＳ４２：Ｙｅｓ）と、判断部１５５が、図２１（ｂ）に示すように、ユーザの指定範囲５０６ａを、２行に亘って表示されている文字列を含む領域に変更するように、表示処理部１５３およびユーザ指定範囲内情報抽出部１５６に対して指示する（ステップＳ４３）。
次に、ステップＳ６では、表示処理部１５３は、ＰＲＥＳＳメッセージおよびＭＯＶＥメッセージに含まれる物理座標値、タッチパネル識別情報および前記基準座標値に基づいて、２行に亘って表示されている文字列を含む領域がユーザの指定範囲５０６ａとして表示する。また、ユーザ指定範囲内情報抽出部１５６は、ＰＲＥＳＳメッセージおよびＭＯＶＥメッセージに含まれる物理座標値、タッチパネル識別情報および前記基準座標値に基づいて、２行に亘って表示されている文字列を含む領域がユーザの指定範囲５０６ａとしてユーザ指定範囲内情報の抽出を行う。
【００２９】
本変形例によれば、指定したい文字列が２行に亘って表示されている場合であっても当該文字列を指定することができるので、使い勝手が向上する。
（３）前述の実施の形態１では、ファイル特定部１５７の一部を構成する検索部１５１が、ファイル名によりファイルを特定する例について説明したが、これに限定されるものではなく、例えば、図２３に示すように、第１のタッチパネル１１０におけるユーザの指定範囲５０６ａ内に表示されている情報が、所定のファイルと対応づけられたアイコンＩ１を含み、検索部１５１は、固有のファイル名が付与された複数のファイルの中から、前記ユーザの指定範囲５０６ａ内に表示されている情報の一部を構成するアイコンに対応づけられた前記所定のファイルを特定するものであってもよい。
【００３０】
本変形例によれば、第１のタッチパネル１１０にファイルの内容を絵柄で表示することができるので、ユーザが第２のタッチパネル１２０でファイルの内容を確認するまでもなく、容易にファイルの内容を理解することを可能とする。
（４）前述の実施の形態１では、ユーザが第１のタッチパネル１１０を操作して範囲を指定した後、第１のタッチパネル１１０の操作状態の判定（図５のステップＳ４参照）の結果、第１のタッチパネル１１０の操作状態がタッチ状態からデタッチ状態に移行したと判断されると、直ちに検索部１４１がユーザ指定範囲内情報の検索（図５のステップＳ６参照）を開始することとしているが、これに代えて、例えば、図２４に示すように、ユーザが指を第１のタッチパネル１１０に接触させ、そのまま第２のタッチパネル１２０側に向かう方向へ所定の距離だけスライドさせると、検索部１４１による検索処理が開始するようにしてもよい。なお、本変形例では、検索部１４１による検索を開始させるためにユーザの操作が、ユーザが指をそのまま第２のタッチパネル１２０側に向かう方向へスライドさせるものである例について説明したが、ユーザが指をスライドさせる方向はこれに限定されるものではなく、ユーザが指をスライドさせる方向が、第２のタッチパネル１２０に向かう方向以外の他の方向であってもよいし、あるいは、ユーザが指をスライドさせる方向が、複数の方向を任意に組み合わせたものであってもよい。また、検索部１４１による検索を開始させるためにユーザが行う操作が、第１のタッチパネル１１０上に所定の形状を描くように指をスライドさせるもの、第１のタッチパネル１１０に対して複数回のタッチ操作を行うもの、あるいは、これらの操作を適宜組み合わせたものであってもよい。
本変形例によれば、検索部１４１が前記検索処理を行うタイミングをユーザが自由に決めることができるので、ユーザが範囲を誤って指定した場合であっても、範囲を指定し直すことができる。
（５）更に、本変形例では、図２５に示すように、表示処理部１５３によって、第１のタッチパネル１１０内に検索ボタン１３０１を表示させて、第１のタッチパネル１１０の操作状態の判定（図５のステップＳ４参照）の結果、第１のタッチパネル１１０の操作状態がタッチ状態からデタッチ状態に移行したと判断されてから、ユーザが指を検索ボタン１３０１に接触させることで、検索部１４１が検索を開始するようにしてもよい。
本変形例によれば、ユーザが前記所定の物体を前記検索処理開始ボタンが表示された位置に接触させない限り前記検索処理が行われないので、ユーザによる誤操作を抑制することができる。
（６）前述の変形例（３）では、図１０に示すように、ユーザが指を第２のタッチパネル１２０に接触させ、第２のタッチパネル１２０に指を接触させたまま第１のタッチパネル１１０に向かう方向に所定の距離だけスライドさせると、データを電子メールに添付する添付処理が開始される例について説明したが、これに限定されるものではなく、図２６に示されるように、表示処理部１５３によって、第２のタッチパネル１２０内に添付ボタン１４０１を表示させて、ユーザが指等を当該添付ボタン１４０１に接触させると、データを電子メールに添付するファイル添付処理が開始されるものであってもよい。本変形例によれば、ユーザが物体を添付ボタン１４０１が表示された位置に接触させない限りファイル添付処理が行われないので、ユーザによる誤操作を抑制することができる。
なお、本変形例では、データを電子メールに添付する添付処理を開始させるためにユーザの操作が、ユーザが指等を当該添付ボタン１４０１に接触させるものである例について説明したが、これに限定されるものではなく、第２のタッチパネル１２０上に所定の形状を描くように指をスライドさせるもの、第２のタッチパネル１２０に対して複数回のタッチ操作を行うもの、あるいは、これらの操作を適宜組み合わせたものであってもよい。
なお、前述の変形例（３）では、第２のタッチパネル１２０に接触させた指を第１のタッチパネル１１０に向かう方向にスライドさせる例について説明したが、指をスライドさせる方向は、これに限定されるものではなく、第１のタッチパネル１１０に向かう方向以外の他の方向であってもよいし、複数の方向を任意に組み合わせたものであってもよい。
（７）前述の実施の形態１または実施の形態２では、検索部１５１がファイル名によりファイルを特定する例について説明したが、これに限定されるものではなく、ユーザ指定範囲内情報が、文字列を含み、検索部１５１が、各々文字列からなる固有のファイル識別データが内部に含まれた複数のファイルの中から、ユーザ指定範囲内情報に含まれる文字列と一致するファイル識別データを含むファイルを特定するようにしてもよい。本変形例によれば、１つのファイルの中に複数種類のファイル識別データを含めることができるので、ユーザ指定範囲内情報に含まれる複数種類の文字列から１つのファイルを特定することが可能となる。
（８）前述の実施の形態１では、ステップＳ１において、返信メールアプリケーションを起動する場合について説明したが、これに代えて、ステップＳ１において、例えば、送信メールアプリケーション、転送メールアプリケーションであってもよく、或いは、メモ帳やウェブブラウザ等を起動させるようにしてもよい。この場合、携帯電話機１００は、第２のタッチパネル１２０に内容が表示されているファイルを電子メールに添付する処理がなされると（図５のステップＳ１１参照）、メールアプリケーションを自動的に起動し、電子メールにファイルを添付する。
（９）前述の実施の形態１では、電子メールに地図画像データや写真画像データから構成されるファイルが添付される例について説明したが、これに限定されるものではなく、例えば、ウェブ検索で検出されたデータ、写真画像データ、動画データ、音楽データ、文章データまたは表データ等、種々のデータで構成されるファイルを添付するものであってもよい。
（１０）前述の実施の形態１では、画像作成部１５４が、第２のタッチパネル１２０に表示された地図画像データの一部をユーザが入力したデータに基づき変更する画像作成処理を行う例について説明したが、これに限定されるものではなく、例えば、ユーザが第２のタッチパネル１２０に表示された地図画像データに対して、色調の変更や画像の拡大縮小等その他の画像データ編集を適宜に組み合わせたものを含むものとしてもよい。
（１１）前述の実施の形態１では、ユーザがタッチペン等を入力開始ボタン６０３に接触させると、画像作成部１５４が、記憶部１６０に記憶されている描画アプリケーションを起動させる例について説明したが、これに限定されるものではなく、ユーザがタッチペン等を第２のタッチパネル１２０上の任意の部分に接触させるだけで描画アプリケーションが起動するようにしてもよい。
（１２）前述の実施の形態１では、例えば、描画アプリケーションを起動させると、第２のタッチパネル１２０に、画像表示用のアイコン（図示せず）が表示され、当該アイコンを用いて描画したり、色の選択、線の太さの選択、定型画像の選択などを可能とする画像形成用のメニュー画面（図示せず）が表示され、当該メニュー画面を用いて画像を作成するようにしてもよい。
（１３）前述の実施の形態２では、携帯電話機１００の内部の記憶部１６０およびサーバ装置内蔵記憶部２６０のそれぞれに固有のファイル名が付与された複数のファイルが格納され、まず、ユーザ指定範囲内情報の中から抽出したファイル名候補文字列と一致するファイル名が付与されたファイルを携帯電話機１００の内部の記憶部１６０内で検索し、当該ファイルを特定できなかった場合に、サーバ装置内蔵記憶部２６０内を検索する例について説明したが、これに限定されるものではなく、サーバ装置内蔵記憶部２６０のみに複数のファイルが格納され、ユーザ指定範囲内情報の中から抽出したファイル名候補文字列と一致するファイル名が付与されたファイルをサーバ装置内蔵記憶部２６０内で検索するようにしてもよい。なお、サーバ装置内蔵記憶部２６０に格納されるファイルは、写真画像データ、動画データ、音楽データ、文章データまたは表データ等から構成されるものであってもよい。
（１４）前述の実施の形態２では、携帯電話機１００が備える検索部１５１が、ユーザ指定範囲内情報を構成する文字群の構文解析を行う例について説明したが、これに限定されるものではなく、携帯電話機１００が情報送信部１９０によってユーザ指定範囲内情報を構成する文字群の全てをサーバ装置２００に送信し、サーバ装置内蔵検索部２５１が、ユーザ指定範囲内情報を構成する文字群に対する構文解析を行うようにしてもよい。
（１５）前述の実施の形態２では、サーバ装置内蔵検索部２５１がサーバ装置内蔵記憶部２６０内で検索を行う例について説明したが、これに限定されるものではなく、サーバ装置２００がインターネットに接続され、サーバ装置内蔵検索部２５１が、ユーザ指定範囲内情報の中の文字列をキーワードとしてウェブ検索を行い、ウェブ検索で検出されたウェブの所在情報に関するデータから構成されるファイルを生成するようにしてもよい。また、例えば、サーバ装置内蔵記憶部２６０が、ユーザ指定範囲内情報の中の文字列をキーワードとしてウェブ検索を行い、ウェブ検索で検出されたウェブの所在情報に関する複数データのリストの中から最上位にランクされたウェブ所在情報に関するデータから構成されるファイルを生成するようにしてもよい。或いは、サーバ装置内蔵記憶部２６０が、ウェブ検索で検出されたウェブの所在情報に関する複数のデータのリストの中からユーザが選択したデータから構成されるファイルを生成するようにしてもよい。
＜補足＞
＜１＞変形例に関する補足
以上、本発明に係る携帯電話機１００を、実施形態および変形例に基づいて説明したが、以下のように変形することもでき、本発明は、前述した実施形態および変形例で示した通りの携帯電話機に限られないことは勿論のことである。
（１）前述の各実施の形態および各変形例では、メッセージ発行部１４２が、表示処理部１５３およびユーザ指定範囲内情報抽出部１５６に対して、物理座標値およびタッチパネル識別情報を含むＰＲＥＳＳメッセージあるいはＭＯＶＥメッセージを発行する例について説明したが、これに限定されるものではなく、メッセージ発行部１４２が発行するＰＲＥＳＳメッセージあるいはＭＯＶＥメッセージが、例えば、座標記憶部１３０に格納されている論理座標値を含むものとしてもよい。
また、メッセージ発行部１４２が、第１のタッチパネル１１０や第２のタッチパネル１２０に対して所定の操作を行うことにより、ＰＲＥＳＳメッセージまたはＭＯＶＥメッセージの中に、物理座標値およびタッチパネル識別情報を含めるか、あるいは論理座標値を含めるかのいずれかを選択できるようにしてもよい。
（２）前述の実施の形態１では、記憶部１６０に図８（ａ）に示すような複数のファイルが格納されてなる例について説明したが、これに限定されるものではなく、例えば、図８（ｂ）に示すように、記憶部１６０に、例えば、所定の地域（大阪府○○市□×町１−２−３）の緯度経度情報を示すデータ（（緯度，経度）＝（Ｘ１，Ｙ１））から構成され当該所定の地域の名称（大阪府○○市□×町１−２−３）からなるファイル名７０５が付与されたファイルや所定の施設（大阪城）が建っている場所の緯度経度情報を示すデータ（（緯度，経度）＝（Ｘ２，Ｙ２））から構成され当該所定の施設の名称（大阪城）からなるファイル名７０６が付与されたファイル等の複数のファイルが格納されるとともに、広域の地図画像データから構成される広域地図画像ファイルが格納されるようにしてもよい。
この場合、携帯電話機１００が、広域の地図画像データから当該緯度経度情報で特定される地域を含む周辺地域の地図画像データを生成する画像切り出し部（図示せず）を備える必要がある。画像切り出し部は、記憶部１６０に記憶されている制御用アプリケーションをプロセッサ１７０が実行することにより実現してもよい。
本変形例では、図５のステップＳ９において、検索部１５１が、前記ユーザ指定範囲情報に含まれる文字列（大阪府○○市□×町１−２−３）と一致するファイル名７０５が付与されたファイルを特定すると、まず、画像切り出し部（図示せず）が、当該ファイルの緯度経度情報データ７０９に基づいて、広域の地図画像データから緯度経度情報データ７０９で特定される地域を含む周辺地域の地図画像データを切り出して新たな画像ファイルを生成し、その後、表示処理部１５３が、当該新たな画像ファイルの内容を第２のタッチパネル１２０に表示することになる。
（３）前述の実施の形態１では、検索部１５１が、ユーザの指定範囲５０６ａ内に表示されている情報に含まれる文字列と一致するファイル名が付与されたファイルを検索する例について説明したが、これに限定されるものではなく、例えば、当該文字列を含むファイル名（例えば、文字列が、ファイル名の前方部分に一致する文字列あるいはファイル名の後方部分一致する文字列）を検索するものであってもよい。
また、ユーザの指定範囲５０６ａ内に表示されている情報に含まれるある文字列を含むファイルが、記憶部１６０に複数個格納されている場合、当該文字列を含む複数のファイルのリストを作成し、検索部１５１が、当該文字列を含むファイル名が付与された複数のファイルの中からリストの上位に登録されているファイルを電子メールに添付するファイルとして優先的に特定するなどの適宜の優先処理を行うようにしてもよい。
（４）前述の各実施の形態および各変形例では、メッセージ発行部１４２、検出部１４１および座標変換部１４３と、表示処理部１５３、ユーザ指定範囲内情報抽出部１５６、検索部１５１、添付処理部１５２、判断部１５５および画像作成部１５４が記憶部１６０に格納された表示制御用アプリケーションおよび制御プログラムをプロセッサ１７０が実行することにより実現していたが、これに限られず、メッセージ発行部１４２、検出部１４１および座標変換部１４３と、表示処理部１５３、ユーザ指定範囲内情報抽出部１５６、検索部１５１、添付処理部１５２、判断部１５５および画像作成部１５４の全部または一部を、１つの処理装置または複数の処理装置からなる集積回路で構成してもよい。
（５）前述の各実施の形態および各変形例では、本発明の通信端末装置として携帯電話機１００の例について説明したが、これに限定されるものではなく、タッチパネルを有する機器であれば、携帯電話機以外の他の装置であってもよい。例えば、携帯情報端末等でもよい。
（６）前述の各実施の形態および各変形例では、携帯電話機１００が、第１のタッチパネル１１０および第２のタッチパネル１２０からなる２つのタッチパネルを備える例について説明したが、これに限定されるものではなく、１つのタッチパネル或いは３つ以上のタッチパネルを備えるものであってもよい。
（７）前述の各実施の形態および各変形例では、図１に示すように、矩形板状の第１の筐体と第１の筐体の厚み方向における一表面側に第１の筐体の長手方向に沿ってスライド可能に取着された矩形板状の第２の筐体とを備えるスライド式の携帯電話機であるものとして説明したが、これに限定されるものではなく、例えば、矩形板状に形成され且つ厚み方向の片側の表面に窓部（図示せず）が形成された２つの筐体（図示せず）同士が、窓部が形成された側の表面同士を互いに対向する形で重ね合わせることができ、且つ、当該２つの筐体同士が片端部で軸支されてなり、２つの筐体のうちの一方を他方の筐体に対して片端部を中心に半回転だけ回動させることにより、２つの窓部それぞれから露出する第１のタッチパネル（図示せず）および第２のタッチパネル（図示せず）それぞれが操作可能な状態となる折りたたみ式の携帯電話機であってもよい。また、実施形態および変形例に係る携帯電話機は、例えば、１つの矩形板状の筐体の厚み方向における片側の表面に第１のタッチパネルおよび第２のタッチパネルが長手方向に並設されてなるストレート式の携帯電話機であってもよいし、あるいは、第１のタッチパネルおよび第２のタッチパネルを備えるものであれば、筐体が他の外観形状に形成されたものであってもよい。或いは、１つの筐体の厚み方向における片側の表面に設けた１つのタッチパネルを２つの領域に区切り、一方を第１のタッチパネルとし、他方を第２のタッチパネルとしてもよい。
（８）前述の各実施の形態および各変形例では、通常の使用状態において、ユーザから見て、第１のタッチパネルと第２のタッチパネルとが上下方向に並ぶ形で配置される携帯電話機であるものとして説明したが、これに限定されるものではなく、例えば、第１のタッチパネルと第２のタッチパネルとが左右方向に並ぶ形で配置されるものであってもよい。この場合、操作制御用座標系における論理座標値のｘ座標の割り当てについては、第１のタッチパネルと第２のタッチパネルとの間に設けられるベゼルの幅が考慮される。
（９）前述の各実施形態および各変形例では、通常の使用状態において、第１のタッチパネルおよび第２のタッチパネルが筐体の厚み方向における片面側に配置される携帯電話機について説明したが、これに限定されるものではなく、例えば、１つの矩形板状の筐体の厚み方向における一面側に第１のタッチパネルが設けられるとともに、他面側に第２のタッチパネルが設けられてなる携帯電話機であってもよい。
（１０）前述の各実施形態および各変形例では、平面視矩形状の第１のタッチパネルと平面視矩形状の第２のタッチパネルとを備え、第２のタッチパネルの第１のタッチパネル側の一辺が、第１のタッチパネルの長手方向における片側の一辺に平行となる形で配置され、且つ、第１のタッチパネルと第２のタッチパネルとの間にベゼルが設けられてなる携帯電話機について説明したが、これに限定されるものではなく、平面視矩形状の第１のタッチパネルと平面視矩形状の第２のタッチパネルとの間にベゼルを設けず、第１のタッチパネルの長手方向における片側の一辺と、第２のタッチパネルの第１のタッチパネル側の一辺とがほぼ接するように配置されてなる携帯電話機であってもよい。この場合、操作制御用座標系における論理座標値のｙ座標の割り当てについては、第１のタッチパネルと第２のタッチパネルとの間に設けられるベゼルの幅は考慮されないことになる。また、第１のタッチパネルと第２のタッチパネルとが左右方向に並ぶ形で配置されてなる携帯電話機について、第１のタッチパネルと第２のタッチパネルとの間にベゼルを設けないようにしてもよい。
＜２＞作用効果に関する補足
（１）本発明に係る通信端末装置は、タッチパネルと、タッチパネルに情報を表示させる表示処理部と、タッチパネルにおいてユーザがタッチパネルを操作して指定したユーザの指定範囲内に表示されている情報に基づいてファイルを特定するファイル特定部と、ファイル特定部が特定したファイルを外部へ送信するファイル送信部とを備える。本発明によれば、ファイルを特定し当該ファイルを送信するまでに行う操作の操作性を向上させることができる。
（２）本発明に係る通信端末装置は、タッチパネルが、第１のタッチパネルと第２のタッチパネルとから構成され、表示処理部は、第１のタッチパネルに情報を表示させ、ファイル特定部がファイルを特定した後、第２のタッチパネルにファイルの内容を表示させる。ユーザは、第１のタッチパネルで範囲を指定し、第２のタッチパネルでファイル特定部が特定したファイルの内容を確認することができるので、通信端末装置の使い勝手を向上させることができる。
（３）本発明に係る通信端末装置は、ファイル特定部が、ユーザが操作部材を前記タッチパネル内におけるユーザが指定しようとする範囲の周囲に位置する第１の点に接触させ、当該操作部材をタッチパネルに接触させた状態を維持しつつ前記タッチパネル内における第２の点までスライドさせ、操作部材をタッチパネルから離脱させると、タッチパネル内における第１の点および第２の点を結ぶ線を含む範囲をユーザの指定範囲とする。本発明によれば、ユーザが操作部材をタッチパネルに接触させるだけで、ユーザの指定範囲を定めることができるので、操作性を向上させることができる。
（４）本発明に係る通信端末装置は、タッチパネルにおけるユーザの指定範囲内に表示されている情報は、文字列を含み、ファイル特定部は、固有のファイル名が付与された複数のファイルの中から、タッチパネルにおけるユーザの指定範囲内に表示されている情報に含まれる文字列と一致するファイル名が付与されたファイルを特定する。本発明によれば、ファイル名を変更するだけで、ファイル特定部が特定できるファイルの内容を変更することができるので、ファイル特定部が特定することができるファイル内容の変更を比較的容易に行うことができる。
（５）本発明に係る通信端末装置は、タッチパネルにおけるユーザの指定範囲内に表示されている情報は、少なくともファイルに対応づけられたアイコンを含み、
ファイル特定部は、複数のファイルの中から、ユーザの指定範囲内に表示されている情報に含まれるアイコンに対応づけられたファイルを特定する。本発明によれば、ファイルの内容を絵柄で表示することができるので、ユーザが容易にファイルの内容を理解することを可能とする。
（６）本発明に係る通信端末装置は、ファイル送信部が、ファイルが添付された電子メールを外部に送信することによりファイルを外部に送信するものであって、電子メールにファイルを添付する添付処理部を備える。本発明によれば、相手方にファイルとともにメッセージを送ることができるので、通信端末装置の使い勝手が向上する。
（７）本発明に係る通信端末装置は、添付処理部は、ファイル特定部が、ファイルを特定した後、操作部材を前記タッチパネルに接触させると、ファイル添付処理を行う。本発明によれば、添付処理部がファイル添付処理を行うタイミングをユーザが自由に決めることができるので、通信端末装置の使い勝手が向上する。
（８）本発明に係る通信端末装置は、ユーザがタッチパネルから入力したデータと、ファイル特定部が特定したファイルを構成するデータとに基づき新たなファイルを生成するファイル作成部を備える。本発明によれば、ユーザが入力したデータに基づき作成された新たなファイルを送信することが可能となるので、通信端末装置の使い勝手が向上する。
（９）本発明に係る携帯通信端末装置は、電子メール送受信機能を有し、「＜８−２＞作用効果に関する補足」の（１）で説明した通信端末装置を備える。本発明によれば、携帯通信端末装置において、前記ファイルを特定し送信するまでに行う操作の操作性の低下を抑制することができる。
（１０）本発明に係る携帯通信端末装置は、電子メール送受信機能を有し、ファイル送信部が、ファイルが添付された電子メールを外部に送信することによりファイルを外部に送信するものであって、電子メールにファイルを添付するファイル添付処理を行う添付処理部と、ユーザが第２のタッチパネルから入力したデータとファイル特定部が特定したファイルを構成するデータとに基づいて新たなファイルを生成するファイル作成部とを有する「＜２＞作用効果に関する補足」の（３）で説明した通信端末装置を備える。ユーザは、第１のタッチパネルに表示される情報を確認しながら、第２のタッチパネルからでデータを入力することができるので、通信端末装置の使い勝手を向上させることができる。
（１１）本発明に係る通信システムは、「＜２＞作用効果に関する補足」の（１）で説明した通信端末装置と、当該通信端末装置にネットワークを介して接続されたサーバ装置とを備え、通信端末装置は、ユーザの指定範囲内に表示されている情報をサーバ装置に送信する情報送信部を有し、サーバ装置は、複数のファイルが格納されるサーバ内蔵記憶部と、サーバ内蔵記憶部に格納されている複数のファイルを検索するサーバ内蔵検索部とを有する。本発明によれば、サーバ装置が、ファイルが格納されるサーバ装置内蔵記憶部と、ユーザ指定範囲内情報の中でファイルを検索する検索処理を行うサーバ装置内蔵検索部とを有することにより、より大容量のファイルを扱うことができるとともに、より数多くのファイルを扱うことができるようになるので、適用範囲を拡大することができる。
【産業上の利用可能性】
【００３１】
本発明は、ファイルを特定し送信するまでに通信端末装置に対して行う操作に利用することができる。
【符号の説明】
【００３２】
１００  携帯電話機
１０１  第１の筐体
１０２  第２の筐体
１０３  スピーカ
１０４  マイクロフォン
１１０  第１のタッチパネル
１１１  第１の表示部
１１２  第１の入力部
１２０  第２のタッチパネル
１２１  第２の表示部
１２２  第２の入力部
１４１  検出部
１４２  メッセージ発行部
１５１  検索部
１５２  添付処理部
１５３  表示処理部
１５４  画像作成部（ファイル作成部）
１５５  判断部
１５６  ユーザ指定範囲内情報抽出部
１６０  記憶部
１７０  プロセッサ
５０６ａ  ユーザの指定範囲
【図１】
2010113457.tif 000003
【図２】
2010113457.tif 000004
【図３】
2010113457.tif 000005
【図４】
2010113457.tif 000006
【図５】
2010113457.tif 000007
【図６】
2010113457.tif 000008
【図７】
2010113457.tif 000009
【図８】
2010113457.tif 000010
【図９】
2010113457.tif 000011
【図１０】
2010113457.tif 000012
【図１１】
2010113457.tif 000013
【図１２】
2010113457.tif 000014
【図１３】
2010113457.tif 000015
【図１４】
2010113457.tif 000016
【図１５】
2010113457.tif 000017
【図１６】
2010113457.tif 000018
【図１７】
2010113457.tif 000019
【図１８】
2010113457.tif 000020
【図１９】
2010113457.tif 000021
【図２０】
2010113457.tif 000022
【図２１】
2010113457.tif 000023
【図２２】
2010113457.tif 000024
【図２３】
2010113457.tif 000025
【図２４】
2010113457.tif 000026
【図２５】
2010113457.tif 000027
【図２６】
2010113457.tif 000028
【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
タッチパネルと、
前記タッチパネルに情報を表示させる表示処理部と、
前記タッチパネルにおいてユーザが前記タッチパネルを操作して指定したユーザの指定範囲内に表示されている情報に基づいてファイルを特定するファイル特定部と、
前記ファイル特定部が特定した前記ファイルを外部へ送信するファイル送信部とを備え、
前記タッチパネルにおける前記ユーザの指定範囲内に表示されている情報は、文字列を含み、
前記ファイル特定部は、複数のファイルの中から、前記タッチパネルにおける前記ユーザの指定範囲内に表示されている情報に含まれる文字列を含む前記ファイルを特定する
ことを特徴とする通信端末装置。
【請求項２】
前記タッチパネルは、第１のタッチパネルと第２のタッチパネルとから構成され、
前記表示処理部は、第１のタッチパネルに前記情報を表示させ、前記ファイル特定部が前記ファイルを特定した後、第２のタッチパネルに前記ファイルの内容を表示させる
ことを特徴とする請求項１記載の通信端末装置。
【請求項３】
前記ファイル特定部は、ユーザが操作部材を前記タッチパネル内における前記ユーザが指定しようとする範囲の周囲に位置する第１の点に接触させ、当該操作部材を前記タッチパネルに接触させた状態を維持しつつ前記タッチパネル内における第２の点までスライドさせ、前記操作部材を前記タッチパネルから離脱させると、前記タッチパネル内における第１の点および第２の点を結ぶ線を含む範囲を前記ユーザの指定範囲とする
ことを特徴とする請求項２記載の通信端末装置。
【請求項４】
前記タッチパネルにおける前記ユーザの指定範囲内に表示されている情報は、少なくともファイルに対応づけられたアイコンを含み、
前記ファイル特定部は、複数のファイルの中から、前記ユーザの指定範囲内に表示されている情報に含まれるアイコンに対応づけられた前記ファイルを特定する
ことを特徴とする請求項３記載の通信端末装置。
【請求項５】
前記ファイル送信部が、前記ファイルが添付された電子メールを外部に送信することにより前記ファイルを外部に送信するものであって、
電子メールに前記ファイルを添付するファイル添付処理を行う添付処理部を備える
ことを特徴とする請求項３記載の通信端末装置。
【請求項６】
前記添付処理部は、前記ファイル特定部が、前記ファイルを特定した後、前記操作部材を前記タッチパネルに接触させると、前記ファイル添付処理を行う
ことを特徴とする請求項５記載の通信端末装置。
【請求項７】
ユーザが前記タッチパネルから入力したデータと、前記ファイル特定部が特定した前記ファイルを構成するデータとに基づいて新たなファイルを生成するファイル作成部を備える
ことを特徴とする請求項５記載の通信端末装置。
【請求項８】
電子メール送受信機能を有し携帯型である
ことを特徴とする請求項１記載の通信端末装置。
【請求項９】
前記ファイル送信部が、前記ファイルが添付された電子メールを外部に送信することにより前記ファイルを外部に送信するものであって、
電子メールに前記ファイルを添付するファイル添付処理を行う添付処理部と、
ユーザが前記第２のタッチパネルから入力したデータと、前記ファイル特定部が特定した前記ファイルを構成するデータとに基づいて新たなファイルを生成するファイル作成部とを有する
請求項３に記載の通信端末装置。
【請求項１０】
前記ファイル特定部は、複数のファイルの中から、前記タッチパネルにおける前記ユーザの指定範囲内に表示されている情報に含まれる文字列をファイル名に含む前記ファイルを特定する
ことを特徴とする請求項１記載の通信端末装置。
【請求項１１】
請求項１に記載の通信端末装置と、当該通信端末装置にネットワークを介して接続されたサーバ装置とを備え、
前記通信端末装置は、前記ユーザの指定範囲内に表示されている情報を前記サーバ装置に送信する情報送信部を有し、
前記サーバ装置は、複数のファイルが格納されるサーバ内蔵記憶部と、前記サーバ内蔵記憶部に格納されている複数のファイルを検索するサーバ内蔵検索部とを有する
ことを特徴とする通信システム。
【国際調査報告】
2010113457.tif 000029
2010113457.tif 000030
2010113457.tif 000031